(57)【要約】【課題】  媒体の相変化を利用して記録するＢＣＡコードに関して、互換性が高く、情報の読み出し誤りが少なく、ディスクの判別を迅速に行うことの可能な信頼性の高い光ディスク、光ディスク装置、光ディスク記録再生方法、ＢＣＡコード記録装置及びＢＣＡコード記録方法を提供する。【解決手段】  ディスク１に結晶部と非結晶部で形成されたＢＣＡ領域１０を有し、この結晶部の反射率が非結晶部の反射率より低い光ディスク（Ｌ−Ｈ媒体）において、ＢＣＡ領域１０の結晶部の幅が１チャネル周期の幅よりも短いことを特徴とすることで、媒体の極性がＨ−Ｌ媒体であるかＬ−Ｈ媒体であるかにかかわらず、ＢＣＡ再生信号の平均レベルが変わらないため、回路のパラメータはデフォルトの値であってもフォーカスの制御、ＢＣＡコードの再生が可能である。【選択図】  図５
2005166096.tif 000002
【特許請求の範囲】
【請求項１】
ディスクに結晶部と非結晶部で形成されたＢＣＡ領域を有し、この前記結晶部の反射率が前記非結晶部の反射率より低い光ディスクにおいて、
前記ＢＣＡ領域の前記結晶部の幅が１チャネル周期の幅よりも短いことを特徴とする光ディスク。
【請求項２】
ディスクに結晶部と非結晶部で形成されたＢＣＡ領域が配置され、前記ＢＣＡ領域はＢＣＡコードの開始を表すＢＣＡプリアンブル領域と、このＢＣＡプリアンブル領域の次に位置しディスク固有情報を含むＢＣＡデータ領域と、このＢＣＡデータ領域の次に位置しＢＣＡコードの終了を表すＢＣＡポストアンブル領域とを有し、
前記ＢＣＡデータ領域の前記ディスク固有情報には前記結晶部の反射率が前記非結晶部の反射率よりも低い前記ディスクであることを表す極性情報が記録されることを特徴とする光ディスク。
【請求項３】
ディスクから読み出された前記情報を信号処理回路を介して再生し、または前記ディスクに前記信号処理回路を介して前記情報を記録する光ディスク装置において、
前記ディスクのリードイン領域の最内周領域に形成され前記ディスク固有情報を含むＢＣＡ領域に記録されているデータを読み出すヘッドと、
このヘッドによって読み出された前記ディスク固有情報に含まれている前記ディスクの極性情報を抽出するＢＣＡ信号処理回路と、
前記ＢＣＡ信号処理回路によって抽出された前記極性情報に基づいて、前記ディスクの極性を判定する極性判定手段と、
前記極性判定手によって判定された前記ディスクの極性に基づいて、前記信号処理回路のパラメータを最適値に変更するパラメータ設定手段とを具備することを特徴とする光ディスク装置。
【請求項４】
前記パラメータ設定手段は、前記信号処理回路のゲインを調整するとともに、フォーカス引き込み判定の閾値を調整することを特徴とする請求項３記載の光ディスク装置。
【請求項５】
前記極性情報は、前記ＢＣＡ領域に形成された結晶部と非結晶部において前記結晶部の反射率が前記非結晶部より低いディスクであるのか、または前記結晶部の反射率が前記非結晶部より高いディスクであるのかを示すことを特徴とする請求項３記載の光ディスク装置。
【請求項６】
ディスクから読み出された前記情報を信号処理回路を介して再生し、または前記ディスクに前記信号処理回路を介して前記情報を記録する光ディスク記録再生方法において、
前記ディスクに形成され前記ディスク固有情報を含むＢＣＡ領域に記録されているデータを読み出すステップと、
この読み出された前記ディスク固有情報に含まれている前記ディスクの極性情報を抽出するステップと、
この抽出された前記極性情報に基づいて、前記ディスクの極性を判定するステップと、
この判定された前記ディスクの極性に基づいて、前記信号処理回路のパラメータを最適値に変更するステップとを具備することを特徴とする光ディスク記録再生方法。
【請求項７】
前記パラメータを設定するステップは、前記信号処理回路のゲインを調整するとともに、フォーカス引き込み判定の閾値を調整することを特徴とする請求項６記載の光ディスク記録再生方法。
【請求項８】
前記極性情報は、前記ＢＣＡ領域に形成された結晶部と非結晶部において前記結晶部の反射率が前記非結晶部より低いディスクであるのか、または前記結晶部の反射率が前記非結晶部より高いディスクであるのかを示すことを特徴とする請求項６記載の光ディスク記録再生方法。
【請求項９】
ディスクに形成されたＢＣＡ領域にディスク固有情報を記録するＢＣＡコード記録装置において、
前記ディスクのＢＣＡ領域にレーザ光を照射するヘッドと、
前記ＢＣＡ領域から反射された反射光量に基づいて前記ディスクの極性を判定する極性判定手段と、
この極性判定手段によって判定された前記ディスクの極性に対する極性情報を生成する極性情報生成手段と、
この極性情報生成手段によって生成された前記極性情報を前記ＢＣＡ領域に記録するためにレーザ変調するレーザ変調手段とを具備することを特徴とするＢＣＡコード記録装置。
【請求項１０】
前記極性判定手段は、前記ＢＣＡ領域からの反射光量が一定量より少ない場合、前記ＢＣＡ領域に形成された結晶部と非結晶部において前記結晶部の反射率が前記非結晶部より高いディスクであると判定し、前記反射光量が一定量より多い場合、前記結晶部の反射率が前記非結晶部より低いディスクであると判定することを特徴とする請求項９記載のＢＣＡコード記録装置。
【請求項１１】
前記レーザ変調手段は、前記ディスクの極性情報に基づいてレーザ変調パルスを切替えることを特徴とする請求項９記載のＢＣＡコード記録装置。
【請求項１２】
ディスクに形成されたＢＣＡ領域にディスク固有情報を記録するＢＣＡコード記録方法において、
前記ディスクのＢＣＡ領域にレーザ光を照射するステップと、
前記ＢＣＡ領域から反射された反射光量に基づいて前記ディスクの極性を判定するステップと、
この判定された前記ディスクの極性に対する極性情報を生成するステップと、
この生成された前記極性情報を前記ＢＣＡ領域に記録するためにレーザ変調するステップとを具備することを特徴とするＢＣＡコード記録方法。
【請求項１３】
前記極性判定するステップは、前記ＢＣＡ領域からの反射光量が一定量より少ない場合、前記ＢＣＡ領域に形成された結晶部と非結晶部において前記結晶部の反射率が前記非結晶部より高いディスクであると判定し、前記反射光量が一定量より多い場合、前記結晶部の反射率が前記非結晶部より低いディスクであると判定することを特徴とする請求項１２記載のＢＣＡコード記録方法。
【請求項１４】
前記レーザ変調するステップは、前記ディスクの極性情報に基づいてレーザ変調パルスの幅を切替えることを特徴とする請求項１２記載のＢＣＡコード記録方法。
【発明の詳細な説明】
【技術分野】
【０００１】
本発明は、ＢＣＡ（Burst cutting area）を有した情報記録媒体（光ディスク）と、このＢＣＡを利用した光ディスク装置、光ディスク記録再生方法、また、ＢＣＡコード記録装置及びＢＣＡコード記録方法に関する。
【背景技術】
【０００２】
周知のように近年では、情報の高密度記録が可能な光ディスクとして、片面１層容量が４．７ＧＢを有する光ディスクが実用化されている。例えば、再生専用の光ディスクであるＤＶＤ−ＲＯＭ（Digital Versatile Disk−Read Only Memory）、書き換え可能な＋ＲＷ(ECMA-337)、ＤＶＤ−ＲＡＭ（Random Access Memory）(ECMA-330)、ＤＶＤ−ＲＷ（Rewritable）(ECMA-338)がある。
【０００３】
これらの光ディスクは透明基板上に情報記録層を形成し、レーザー光をこれに集光することで、情報の記録再生を行っている。また、光ディスクの情報記録面はいくつかの領域に分けられている。上記のＤＶＤ−ＲＡＭ等では内周側からＢＣＡ(Burst cutting area)、リードインエリア（Lead-in area）、データエリア（Data area）、リードアウトエリア（Lead-out area）といった構成になっている。ここで、ＢＣＡには光ディスクに固有なコピープロテクション情報や光ディスクの種類を示す情報がＢＣＡコードで記録されている。また、リードインエリアには光ディスクの管理情報が記録されているほか、データエリアにはユーザーデータ等の情報を記録することが出来る。
【０００４】
ＢＣＡコードはディスクの半径方向に長いバーコード記録マークで記録されている。これは例えば情報記録層にＹＡＧレーザーのような高パワーのレーザーを集光して情報記録媒体や反射膜をとばしたり、特開２００１−２４３６３６に示されるように情報記録媒体の相変化を利用したりすることで形成される。前者は、再生専用、追記型、書き換え型いずれのディスクにも用いることが出来、後者の場合は相変化を利用するため相変化媒体を用いた追記型、書き換え型等のディスクに適応することが出来る。前者は情報記録層が反射膜のみで形成されているような再生専用ディスクにも用いることが出来る利点があるのに対し、後者は比較的出力の低いレーザーでも簡単に記録が行えるといった特徴がある。
【０００５】
また、上記のＤＶＤ−ＲＡＭ、ＤＶＤ−ＲＷといった相変化型の記録媒体をもつ光ディスクでは通常、初期状態としてディスク全面が結晶化されており、ここに強度の強いレーザー光をパルス状に照射することで非結晶の記録マークを形成する。これは強いレーザー光により媒体が溶融し、その後レーザー光の照射が弱まることで媒体が急冷し、非結晶化するためである。一方、情報の再生は媒体に一定レベルの弱いレーザー光を照射し、記録マークである非結晶部とそれ以外の結晶部による反射率の変化を電気信号に変換して読み出している。
【特許文献１】特開２００１−２４３６３６号公報
【発明の開示】
【発明が解決しようとする課題】
【０００６】
現在実用化されている、ＤＶＤ−ＲＯＭ、ＤＶＤ−ＲＡＭ、ＤＶＤ−ＲＷといったディスクではＢＣＡの記録に高パワーのレーザーを用いており、情報記録層や反射膜をとばす、化学変化を与える等の可逆変化を加えることでＰＥ−ＲＺ(Phase Encoding-Return to Zero)変調されたＢＣＡコードの記録を行っている。このＢＣＡコードを光ディスク装置
で再生した場合、情報記録層や反射膜がとばされた部分では、光の反射率が下がるので信号レベルが低下する。一方、それ以外の部分は信号レベルが高い状態に保たれている。ここで、信号レベルが低下した部分をマーク、高い状態に保たれている部分をスペースととする。一般に、ＢＣＡコードではマークとスペースのパルス幅が等しいと復調の際に妨げになること、情報記録層や反射膜をとばすのはなるべく少ない面積の方が簡便であることなどから、スペースの幅に比べてマークの幅が狭くなるようにマークが形成されている。
【０００７】
一方、相変化を利用したＢＣＡコードの記録では、非結晶領域と結晶領域が上記のマークやスペースに対応する。例えば特開２００１−２４３６３６に記載された光ディスクでは、非結晶の領域に比較的低いパワーのレーザーを照射し、結晶領域として形成していくことで、ＢＣＡのコードを記録している。ここで、現在実用化されているＤＶＤ−ＲＡＭ、ＤＶＤ−ＲＷといった相変化型の記録媒体では、すべて非結晶領域の反射率が結晶領域の反射率に比べて低いhigh to Lowと呼ばれる特性の媒体（以下、Ｈ−Ｌ媒体という）である。
【０００８】
しかしながら、相変化型の媒体では媒体の種類や層の構成により結晶領域が非結晶領域に比べて反射率が高いものだけでなく、逆に非結晶領域が結晶領域に比べて高いものを作成することが可能である。これは、Low to High媒体とよばれ（以下、Ｌ−Ｈ媒体という）、クロスイレースに強いなどの特徴があり、現在実用化の可能性が高くなってきている。
【０００９】
ここで、Ｌ−Ｈ媒体が実用化された場合、特開２００１−２４３６３６に示されるような従来のＬ−Ｈ媒体と同様な方法でＢＣＡを記録した場合、信号レベルが低下するマークのパルス幅がスペース部分のパルス幅に比べて広くなることになる。これはすなわちＢＣＡコードの信号の極性が従来の高パワーでのレーザーで記録されたものと逆になり、さらに、信号の平均レベルも異なることを意味している。
【００１０】
また、同じ相変化を利用したＢＣＡコードどうしであっても、媒体の特性が変わると信号の極性が逆になる、信号の平均レベルが著しく異なるといったディスクが存在することになる。
【００１１】
光ディスク装置には様々なタイプの光ディスクが挿入される可能性あるので、このように信号の極性が異なるタイプのディスクが存在すると、光ディスクの互換性が低下したり、情報の読み出し誤りが増加したり、ディスクの判別に時間を要するといった問題がある。また、信号の平均レベルが著しく異なるディスクが存在すると、光ディスクに光ビームの焦点を集光するためのフォーカスサーボ回路の引き込み可能範囲を広く取っておく必要が発生し、光ディスク装置の設計が困難になったり、コストの増加につながるといった問題がある。
【００１２】
そこで、本発明は上記の問題を解決するためになされたものであり、媒体の相変化を利用して記録するＢＣＡコードに関して、互換性が高く、情報の読み出し誤りが少なく、ディスクの判別を迅速に行うことの可能な信頼性の高い光ディスク、光ディスク装置、光ディスク記録再生方法、ＢＣＡコード記録装置及びＢＣＡコード記録方法を提供することを目的とする。
【課題を解決するための手段】
【００１３】
上記した課題を解決するために、この発明は、ディスクに結晶部と非結晶部で形成されたＢＣＡ領域を有し、この前記結晶部の反射率が前記非結晶部の反射率より低い光ディスクにおいて、前記ＢＣＡ領域の前記結晶部の幅が１チャネル周期の幅よりも短いことを特徴とする。
【発明の効果】
【００１４】
以上詳述したように本発明の光ディスクによれば、Ｌ−Ｈ媒体においてＢＣＡの結晶部の幅が１チャネル周期の幅よりも短くしたことで、媒体の極性がＨ−Ｌ媒体であるかＬ−Ｈ媒体であるかにかかわらず、ＢＣＡ再生信号の平均レベルが変わらないため、回路のパラメータはデフォルトの値であってもフォーカスの制御、ＢＣＡコードの再生が可能である。
【００１５】
また本発明の光ディスク装置及び光ディスク記録再生方法によれば、挿入された光ディスクがＨ−Ｌ媒体であっても、Ｌ−Ｈ媒体であっても、正確に媒体の極性判定を行い、その結果元に回路のパラメータの最適化を行っている。媒体の極性が異なると、ＢＣＡ以外のリードインエリアやデータエリアといった領域ではディスクの反射率等が大きく異なるが、このような最適化を行うことで、どのようなディスクに対しても安定したサーボ制御、正確な情報の読み出しが可能となる。
【００１６】
また本発明のＢＣＡコード記録装置及びＢＣＡコード記録方法によれば、光ディスクの極性を反射光量からＨ−Ｌ媒体かＬ−Ｈ媒体かを判定して、判定した光ディスクの極性情報を正確にＢＣＡに記録することができる。
【発明を実施するための最良の形態】
【００１７】
以下、図面を参照しながら本実施例について詳細に説明する。
【００１８】
＜本発明に係る情報記録媒体＞
図１に本発明の実施例の一つである情報記録媒体の構成を示す。本発明の情報記録媒体（光ディスク）１は、中心にクランプのためのクランプ孔３を有している。また、光ディスク１の情報記録層は内周側から帯状に、ＢＣＡ(Burst cutting area)１０、リードインエリア（Lead-in area）５、データエリア（Data area）７、リードアウトエリア（Lead-out area）９といった複数の領域に区分されている。また、この領域の幅や半径位置はディスクの種類によって予め定められている。ここで、リードインエリアの一部には予めプリピットと呼ばれる記録マークが基板の凹凸により記録されている。ここにはディスクの種類や、推奨ストラテジといったディスクの管理情報が保存されている。リードインエリアの一部、データエリア、リードアウトエリアにはスパイラル上の溝が設けられており、この溝に沿ってユーザー情報を含む信号を記録、または書き換えをすることが出来る。また、ＢＣＡ１０には光ディスク１に固有なコピープロテクション情報や、ディスクの種類(Book type)、バージョン情報(Part version)、媒体の極性情報と言った情報が保存されている。ここで、媒体の極性情報とはその媒体がＬ−Ｈ媒体であるか、Ｈ−Ｌ媒体であるかを示す情報である。また、媒体の極性情報に関しては個別に媒体の極性情報として保存される場合もあるが、ディスクの種類もしくはバージョンの一つとして記述される場合もある。
【００１９】
いずれの場合にも本発明の光ディスク１には媒体の極性情報が予め記録半径の定められたＢＣＡ１０に記録されているため、ＢＣＡ１０を再生するだけで、迅速、正確に媒体の極性を判定することが出来る。
【００２０】
＜情報記録媒体（光ディスク）の極性の説明＞
一方、情報記録層に用いる情報記録媒体としては、追記及び、書き換えのできるものとして熱記録型の媒体がある。これは、情報記録媒体を加熱冷却することで、情報を記録するものである。この代表的なものとして相変化媒体が知られている。これは媒体の相の違い、すなわちアモルファスと結晶の違いによる物理的性質の差、例えば反射率差等を利用して情報を記録するものである。一般に、相変化媒体を利用した光ディスク装置では、デー
タエリア等の通常の信号記録領域では、予め初期化によって媒体を全面に渡り結晶化しておき、そこに強度の強いレーザー光を照射することでアモルファスの記録マークを形成する。これは強いレーザー光により媒体が溶融し、その後レーザー光の照射が弱まることで媒体が急冷し、アモルファス化するためである。このレーザー光の強度は記録パワーと呼ばれる。また、媒体の初期化(全面結晶化)、もしくはアモルファス化した記録マークの消去は比較的弱い強度のレーザー光を照射し、媒体を結晶化温度に結晶化保持時間だけ保つことで行う。この比較的弱い強度は初期化パワーまたは消去パワーと呼ばれる。
【００２１】
また、通常ＢＣＡでは初期化を行わず、情報記録媒体を成膜しただけのアズデポと呼ばれる非結晶状態の領域に、初期化パワーを用いて結晶状態を形成することでＢＣＡコードの記録をおこなう。
【００２２】
一方、情報の再生は媒体に一定レベルの非常に弱い強度のレーザー光を照射し、記録マークであるアモルファス部と結晶部による反射率変化の変化を電気信号に変換して読み出している。この非常に弱い強度は再生パワーと呼ばれる。一方、アモルファス部と結晶部の反射率や位相の変化量は情報記録層に用いる情報記録媒体の材料の種類、層構成や組成によって調整をすることが可能である。ここで、データエリアにおいて信号の記録前よりも記録後の反射率が下がる媒体のことをHigh to Low媒体（Ｈ−Ｌ媒体）、逆に信号の記録前よりも信号記録後に反射率が上がる媒体のことをLow to High 媒体（Ｌ−Ｈ媒体）という。一般的に、媒体の記録前の状態は結晶状態であり、記録後はアモルファス状態となることが多いため、通常アモルファス部の反射率が結晶部より低い媒体がＨ−Ｌ媒体であり、逆に結晶部の反射率がアモルファス部より低い媒体がＬ−Ｈ媒体となる。本実施例においても以下、同様の定義で説明を行う。
【００２３】
ここで、現在一般に流通しているＤＶＤ−ＲＡＭ、ＤＶＤ−ＲＷのような相変化型の光ディスク媒体はいずれもＨ−Ｌ媒体であり、Ｌ−Ｈ媒体の例はない。
【００２４】
＜ＢＣＡコードの物理的な形状と再生信号の説明＞
図２に従来のＤＶＤ−ＲＯＭディスクに記録されたＢＣＡコードとその再生信号の模式図を示す。また、図３にＤＶＤ−ＲＡＭの様なＨ−Ｌ媒体媒体に相変化型のＢＣＡコードを記録するときの記録データと記録するレーザーの波形、記録されたＢＣＡとその再生信号の模式図を示す。また、図４に同様の方法でＬ−Ｈ媒体媒体にＢＣＡを記録した場合の記録されたＢＣＡとその再生信号の模式図を示す。
【００２５】
ＢＣＡ１０の記録では、まず保存したいデータ図３（１）が図３（２）、（３）に示すようにＰＥ−ＲＺ変換される。次にこのＰＥ−ＲＺ変換された信号に基づいて、ＢＣＡコードを記録するために図３（４）のようにレーザー光の強度が変調される。ここで、従来の方法ではＰＥ−ＲＺ変換された信号のＬｏｗのレベルにあたる部分ではレーザーは再生パワーで発光し、Ｈｉｇｈの部分では初期化パワーで発光する。この結果、光ディスクのＢＣＡには図３（５）の様なＢＣＡコードが記録される。これを光ディスク装置で再生すると図３（６）に示すような再生信号が得られる。この場合、得られた再生信号は図２（３）に示すＤＶＤ−ＲＯＭディスクのＢＣＡの再生信号と同様に凹部のパルス幅が１チャネル周期の幅よりも短い幅になっており、信号の互換性が高いことがわかる。
【００２６】
ここで、図４に、図３に示した方法と同様の方法でＬ−Ｈ媒体にＢＣＡコードを記録した場合の記録されたＢＣＡとその再生信号の模式図を示す。記録方法が同様な方法にもかかわらず、Ｌ−Ｈ媒体にＢＣＡコードを記録した場合には図４（６）に示すように、再生信号のパルス幅が図２（３）や図３（６）に示した信号と異なり、凹部の幅が１チャネル周期の半分より長くなっている。このような再生信号では、信号の極性が異なるため、データの読み取りが不可能になる。また、図３（６）と図４（６）を比べた場合には同じ相
変化型の光ディスクであるにもかかわらず、再生信号の平均レベルが異なるので、フォーカスがかかりにくくなるといった問題が発生する。
【００２７】
次に、図５に本発明の実施例の一つであるにＬ−Ｈ媒体に正確なＢＣＡコードを記録するレーザーの変調波形、記録されたＢＣＡコードとその再生信号の模式図を示す。
【００２８】
本発明では、ＢＣＡコードの記録を行う媒体がＬ−Ｈ媒体であった場合には、ＰＥ−ＲＺ変換された信号に基づいて、レーザー光の強度を変調する場合、図５（４）に示すように、信号のＨｉｇｈのレベルにあたる部分ではレーザーを初期化パワーで発光し、Ｌｏｗの部分では再生パワーで発光する。この結果、本発明の光ディスクには図５（５）に示すＢＣＡコードが記録される。このＢＣＡはアモルファス部がＰＥ−ＲＺ変換された信号のＬｏｗの部分にあたりその幅が１チャネルの周期の半分よりも短くなっていることが特徴である。この結果、ＢＣＡコードの再生信号は図５（６）に示すように、図２（３）や図３（６）に示した再生信号と同様の形状になっている。さらに、ＢＣＡ領域の半径内であって、ＢＣＡコードを記録しない部分に関しては、再生パワーで発光をするようにする。この結果、この領域は未初期化状態として残される。
【００２９】
このように、本発明の光ディスクはＬ−Ｈ媒体であってもＲＯＭ媒体やＨ−Ｌ媒体と同様のＢＣＡ再生信号を得ることが出来る。すなわち本発明の光ディスクは互換性が取れており、正確な情報の読み出しが可能なディスクであるといえる。また、本発明の光ディスクではＬ−Ｈ媒体であっても、ＢＣＡ再生信号の平均レベルがＨ−Ｌ媒体と等しいため、媒体の極性を判定しなくてもフォーカス制御を行うことが可能となる。
【００３０】
＜ＢＣＡコードの詳細な説明＞
次に本発明の実施例の一つであるＢＣＡに保存する情報の内容について説明を行う。図６にＢＣＡに保存するデータの構造を示す。ＢＣＡコードはＢＣＡプリアンブルフィールド２、ＢＣＡデータフィールド４、ＢＣＡポストアンブルフィールド６から構成されている。ここで、ＢＣＡプリアンブルフィールド２とポストアンブルフィールド６はＢＣＡコードの開始と終了を示すフィールドであり、コピープロテクション情報や、光ディスクの種類を示す情報はＢＣＡデータフィールド４に保存される。
【００３１】
図７にＢＣＡデータフィールドに保存される内容を示す。Ｉ０〜Ｉ７はコピープロテクションの情報、Ｉ８には光ディスクの種類をあらわす規格のタイプとバージョンの情報、Ｉ９には光ディスクがＬ−Ｈ媒体であるか、Ｈ−Ｌ媒体であるか、もしくはそれ以外であるかをあらわす媒体の極性情報を記録する。例えば、光ディスクが再生専用ディスクである場合、ｂ０からｂ７にはずべて０を保存する。
【００３２】
光ディスクが再生専用ディスクではなく、さらに、それがＬ−Ｈ媒体である場合にはｂ０のみ１を保存し、ｂ１からｂ７までには０を保存する。一方、光ディスクが相変化媒体であり、さらに、それがＨ−Ｌ媒体である場合にはｂ１のみ１を保存し、ｂ０及びｂ２からｂ７までには０を保存する。
【００３３】
この結果、本発明の光ディスクではＢＣＡコードを読み取ればそのディスクがＨ−Ｌ媒体であるか、Ｌ−Ｈ媒体であるかを知ることができ、ディスクの種類判別を正確、迅速に行うことが可能となる。
【００３４】
＜光ディスク装置の基本的な説明とＢＣＡを利用した光ディスク装置＞
図８に本発明の実施例の一つである光ディスク装置の構成を示す。本発明の光ディスク装置１００はピックアップヘッド（ＰＵＨ）１１から出射されるレーザー光を光ディスク１の情報記録層に集光することで、情報の記録再生を行っている。光ディスク１から反射
した光は、再び、ＰＵＨ１１の光学系を通過し、フォトディテクター（ＰＤ）１３で電気信号として検出する。
【００３５】
ＰＤ１３は２分割以上に分割されており、各素子のを加算したした信号を和信号、減算した信号を差信号と呼ぶ。特に、ユーザー情報等の高周波情報が付加された和信号をＲＦ信号と呼ぶ。また、光ディスク１に対して光学的に半径(ラジアル)方向に配置された各素子を減算した信号をラジアルプッシュプル信号と呼ぶ。図９に４分割ＰＤの例を示す。４つの素子すべてを加算した信号が和信号、２つの素子を加算した後に加算信号同士を減算した結果が差信号となる。この信号がラジアルプッシュプル信号である。
【００３６】
検出された電気信号は、プリアンプ１５で増幅され、サーボ回路１７、ＢＣＡ信号処理回路１９、ＲＦ信号処理回路２１、アドレス信号処理回路２３に出力される。ここで、光ディスク装置１００には様々な種類の光ディスク１を再生する必要があるため、各回路はパラメータの変更機能を有する。
【００３７】
サーボ回路１７では、フォーカス、トラッキング、チルト等のサーボ信号が生成され、各信号がそれぞれ、ＰＵＨ１１のアクチュエータ１２、即ちフォーカスアクチュエータ、トラッキングアクチュエータ、チルトアクチュエータに出力される。
【００３８】
ＲＦ信号処理回路２１では、検出された信号のうち、主に和信号を処理することにより、記録されたユーザー情報等の情報を再生する。この際の復調方法としては、スライス方式やＰＲＭＬ方式がある。
【００３９】
アドレス信号処理回路２３では、検出された信号を処理することにより、光ディスク１上の記録位置を示す、物理アドレス情報を読み出し、コントローラー２５に出力する。コントローラー２５はこのアドレス情報を元に、所望の位置のユーザー情報等の情報を読み出したり、所望の位置にユーザー情報等の情報を記録したりする。この際、ユーザー情報は記録信号処理回路２７で光ディスク記録に適した信号に変調される。例えば（１，１０）ＲＬＬ、（２，１０）ＲＬＬ等の変調法則が適用される。また、コントローラー２５内にはＬ−Ｈ媒体であるのか、Ｈ−Ｌ媒体であるのかを判定する媒体極性判定機構２６や各種回路のパラメータの設定を行うパラメータ設定機構２８が設けられている。また、コントローラー２５は記憶装置３１と接続され、この記憶装置３１はＬ−Ｈ媒体用パラメータ又はＨ−Ｌ媒体用パラメータを記憶する。
【００４０】
ＢＣＡ信号処理回路１９では、検出された信号のうち主に和信号を処理することにより、コピープロテクション情報、ディスクの種類、バージョン情報、媒体の極性情報といった情報の読み出しを行う。
【００４１】
＜ＢＣＡ再生回路の説明と利用方法＞
図１０にＢＣＡ信号処理回路のブロック図を示す。ＰＵＨ１１で電気信号に変換され、プリアンプ１３で増幅された信号はＢＣＡ信号処理回路１９に入ると、まずバンドパスフィルタ３５を通過する。ここで、信号の高周波性分のノイズや、低周波の揺らぎが取り除かれる。その後信号は２値化器３７を介して２値化され、さらに同期信号発生及びデータ復調器３９を介して復調されて０，１で表される再生データになり、コントローラー２５に送られる。バンドパルフィルタ３５には２次のベッセルフィルタを用いるとノイズを除去しながら、正確にＢＣＡコードの情報を伝達することが可能となる。また、例えばＢＣＡコードの１チャネルの間隔が４．６３μｓｅｃ程度だとすると、カットオフ周波数を５５０ｋＨｚとするのが適当である。
【００４２】
コントローラー２５では再生データから、規格の種類、バージョン情報、コピープロテ
クション情報、媒体の極性情報といった情報の読み出しを行い、この結果からプリアンプ１５、サーボ回路１７、記録信号処理回路２７、アドレス信号処理回路２３、ＲＦ信号処理回路２１といった各回路のパラメータの変更機能を用いてパラメータの最適化を行う。
【００４３】
特に、ディスクの種類が相変化型のディスクであり、極性情報がＬ−Ｈ媒体であった場合には、データエリア７の未記録部やリードインエリア５の反射率が１５％を下回るような可能性が高いため、これにあわせて、プリアンプ１５のゲインを切り替えて信号を増幅したり、各サーボ回路のゲインを上げたり、フォーカス引き込み判定の閾値を低くする等の切り替えを行う。逆に、極性情報がＨ−Ｌ媒体であった場合にはデータエリア７の未記録部やリードインエリア５の反射率が１５％を上回る可能性が高いため、プリアンプ１５のゲインを切り替えて信号の増幅率を抑えたり、各サーボ回路のゲインを下げたり、フォーカス引き込み判定の閾値を高くする等の切り替えを行う。このように、コントローラー２５は光ディスクの媒体の極性情報から光ディスクの極性を判断する媒体極性判定機構２６と、その判断に基づき、光ディスクの各回路のパラメータを最適に調整するパラメータ設定機構２８を有する。
【００４４】
この結果、本発明の光ディスク装置では挿入されたディスクがＨ−Ｌ媒体であっても、Ｌ−Ｈ媒体であっても、正確に媒体の極性判定を行い、安定して情報の記録再生を行うことが可能となる。
【００４５】
＜ＢＣＡコードを利用した光ディスク記録再生方法＞
次に本発明の光ディスクの再生開始からコントロールデータの読み出しまたは、ユーザーデータの記録、読み出し開始まで手順について説明を行う。図１１に、このフローチャートを示す。第１のステップではまずディスクの回転が開始される。この際、光ディスクの回転数はＢＣＡコードの再生のために予め定められた回転数になるように調整される。第２のステップでは、ＰＵＨ１１が予め定められたＢＣＡの半径にフィードされる。第３のステップでは、光ディスク装置１００のコントローラー２５によって、サーボ回路１７、信号処理回路等の各回路のパラメータがデフォルトの値に設定される。第４のステップでは、レーザーを再生パワーで発光させ、フォーカスの制御を行う。第４のステップではＢＣＡコードの再生及び保存された情報の読み出しが行われる。これは、規格の種類、バージョン情報、コピープロテクション情報、媒体の極性情報といった情報である。また、図示しないがここで、ＢＣＡコードの再生が不可能であった場合にはリトライ等の手段が講じられる。第６のステップでは、読み出した情報を元に、ディスクがＨ−Ｌ媒体であるかＬ−Ｈ媒体であるかの判定を行う。第７のステップでは、第６のステップの判定の結果を元に、光ディスク１のコントローラー２５がサーボ回路１７、信号処理回路等の各回路のパラメータを最適な値に変更する。これは例えば、極性情報がＬ−Ｈ媒体であった場合には、データエリア７の未記録部やリードインエリア５の反射率が１５％を下回るような可能性が高いため、これにあわせて、プリアンプ１５のゲインを切り替えて信号を増幅したり、各サーボ回路のゲインを上げたり、フォーカス引き込み判定の閾値を低くする等の変更である。この最適化が終了したら、引き続きリードインエリア５のコントロールデータの再生やユーザーデータの記録再生を行う。
【００４６】
本発明の手順では光ディスクの再生が始まったら、まずはじめにＢＣＡコードの再生を行っている。これは、本発明の光ディスクであれば、媒体の極性がＨ−Ｌ媒体であるかＬ−Ｈ媒体であるかにかかわらず、ＢＣＡ再生信号の平均レベルが変わらないため、回路のパラメータはデフォルトの値であってもフォーカスの制御、ＢＣＡコードの再生が可能であるからである。この結果、本発明の手順では安定したフォーカス制御、迅速な情報の読み出しが可能となる。また、本発明の手順では、ＢＣＡコードから読み出された情報から媒体の極性を判定し、その結果元に回路のパラメータの最適化を行っている。媒体の極性が異なると、ＢＣＡ以外のリードインエリアやデータエリアといった領域ではディスクの
反射率等が大きく異なるが、このような最適化を行うことで、どのようなディスクに対しても安定したサーボ制御、正確な情報の読み出しが可能となる。
【００４７】
＜ＢＣＡコード記録装置＞
図１２に本発明のＢＣＡコードを記録するＢＣＡコード記録装置のブロック図を示す。また、図１３に記録データと変調信号、及び記録パルスの例を示す。このＢＣＡコード記録装置２００は、光ディスク１にレーザーを収光するための、ＰＵＨ５１とＰＵＨ５１を所望の位置に移動するための、フィード機構５３と、レーザーを安定的にディスク上に収光、走査するためのサーボ回路５５とを有している。また、コントローラー５９、ＢＣＡコード変調回路６１、ＬＤドライバー６３を有している。コントローラー５９は、媒体極性判定機構５６と媒体極性情報生成機構５８とを有する。これにより、コントローラー５９は再生信号処理回路５７からの再生信号情報、もしくはユーザーの指示に従って、挿入された媒体がＨ−Ｌ媒体であるか、Ｌ−Ｈ媒体であるかを判定し、さらに、ＢＣＡコードとして記録するデータの中に判定結果である媒体の極性情報を挿入する。
【００４８】
また、判定に従ってＬＤドライバー６３のパルス切替機構６３ａ等、装置の各部に、切り替え信号を送る。ＢＣＡコード変調回路６１ではコントローラー５９から入力されたデータを図１３に示すようにＰＥ−ＲＺ変調信号に変換する。さらに、ＬＤドライバー６３はコントローラー５９からの指示に従って、ＰＥ−ＲＺ変調をもとにレーザーを発光させる。このとき、コントローラー５９がディスクをＨ−Ｌ媒体と判定した場合にはレーザー変調パルス１を用いてＢＣＡコードを記録し、Ｌ−Ｈ媒体と判定した場合には、レーザー変調パルス２を用いてＢＣＡコードを記録する。
【００４９】
また、ＢＣＡコードを記録する半径上で、ＢＣＡコードを記録しない部分に関しては、コントローラー５９がディスクをＨ−Ｌ媒体と判定した場合にはレーザー変調パルス３を用いて光ディスクを走査し、Ｌ−Ｈ媒体と判定した場合には、レーザー変調パルス４を用いて光ディスクを走査する。
【００５０】
一方、ＢＣＡ領域以外の領域では、Ｈ−Ｌ媒体、Ｌ−Ｈ媒体いずれの媒体に対しても、レーザー変調パルス３で走査を行い、媒体の初期化を実施する。
【００５１】
＜ＢＣＡコード記録手順＞
図１４に本発明のＢＣＡコード記録のフローチャートを示す。まず、ＢＣＡコードを記録するＢＣＡコード記録装置２００に光ディス１が挿入されたら、ステップ２１ではまずディスクの回転が開始される。この際、光ディスクの回転数はＢＣＡコードの記録のために予め定められた回転数になるように調整される。ステップ２２では、フィード機構５３はＰＵＨ１１をＢＣＡ記録位置まで移動させる。次にステップ２３では、フォーカス制御を行い光ディスク１にフォーカスをかける。ステップ２４では、光ディスク１からの再生信号を元にディスクの判別を行う。このとき例えば、Ｈ−Ｌ媒体が成膜後のアズデポ状態では反射率が低く、数％程度であるのに対し、Ｌ−Ｈ媒体ではアズデポ状態の反射率が高く、１０％以上あることを利用して、光ディスクからの反射光量が一定量より少なければ、同ディスクをＨ−Ｌ媒体と判定し、多ければＬ−Ｈ媒体と判定することが出来る。次にＢＣＡコードを記録するためにレーザー出力の変調を行う。このとき、ステップ２５ではＨ−Ｌ媒体と判定したディスクには通常のレーザー変調パルス１による変調を行い、ステップ２６及び２７では、Ｌ−Ｈ媒体と判定したディスクに対して、パルスの切り替えを行って、レーザー変調パルス２による変調を行い、ステップ２８でＢＣＡコードの記録を行う。所定のＢＣＡコードを記録し終えたらＢＣＡコードの記録を終了する。
【００５２】
以上記載した様々な実施形態により、当業者は本発明を実現することができるが、更にこれらの実施形態の様々な変形例を思いつくことが当業者によって容易であり、発明的な
能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５３】
【図１】本発明の実施例の一つである情報記録媒体の構成を示す図。
【図２】従来のＤＶＤ−ＲＯＭディスクに記録されたＢＣＡコードとその再生信号を示す模式図。
【図３】ＤＶＤ−ＲＡＭの様なＨ−Ｌ媒体媒体に相変化型のＢＣＡコードを記録するときの記録データと記録するレーザーの波形、記録されたＢＣＡとその再生信号の示す模式図。
【図４】図３と同様の方法でＬ−Ｈ媒体媒体にＢＣＡを記録した場合の記録されたＢＣＡとその再生信号の示す模式図。
【図５】本発明の実施例の一つであるにＬ−Ｈ媒体に正確なＢＣＡコードを記録するレーザーの変調波形、記録されたＢＣＡコードとその再生信号を示す模式図。
【図６】ＢＣＡに保存するデータの構造を示す図。
【図７】ＢＣＡデータフィールドに保存される内容を示す図。
【図８】本発明の実施例の一つである光ディスク装置を示すブロック構成図。
【図９】４分割ＰＤの例を示す図。
【図１０】ＢＣＡ信号処理回路を示すブロック図。
【図１１】本発明の光ディスクの再生開始からコントロールデータの読み出しまたは、ユーザーデータの記録、読み出し開始までの手順を説明するためのフローチャート。
【図１２】本発明のＢＣＡコードを記録するＢＣＡコード記録装置のブロック図。
【図１３】記録データと変調信号、及び記録パルスの例を示す図。
【図１４】本発明のＢＣＡコード記録方法の一例を説明するためのフローチャート。
【符号の説明】
【００５４】
１…光ディスク、２…ＢＣＡプリアンブルフィールド、３…クランプ孔、４…ＢＣＡデータフィールド、５…リードインエリア、６…ＢＣＡポストアンブルフィールド、７…データエリア、１１、５１…ＰＵＨ、１３…ＰＤ、１５…プリアンプ、１７、５５…サーボ回路、１９…ＢＣＡ信号処理回路、２１…ＲＦ信号処理回路、２３…アドレス信号処理回路、２５、５９…コントローラー、２６、５６…媒体極性判定機構、２７…記録信号処理回路、２８…パラメータ設定機構、２９、６３…ＬＤＤ、３０…記憶装置、５３…フィード機構、５８…媒体極性情報生成機構、６１…ＢＣＡコード変調回路。
【図１】
2005166096.tif 000003
【図２】
2005166096.tif 000004
【図３】
2005166096.tif 000005
【図４】
2005166096.tif 000006
【図５】
2005166096.tif 000007
【図６】
2005166096.tif 000008
【図７】
2005166096.tif 000009
【図８】
2005166096.tif 000010
【図９】
2005166096.tif 000011
【図１０】
2005166096.tif 000012
【図１１】
2005166096.tif 000013
【図１２】
2005166096.tif 000014
【図１３】
2005166096.tif 000015
【図１４】
2005166096.tif 000016